(57)【要約】【課題】管理者の手を煩わせることなく、簡易に管理者が室内にいる間だけ自動的に電子機器や設備の利用が可能な管理システムを提供する。【解決手段】入退場管理装置は、情報記憶媒体から読み取った情報に入場権限情報が含まれている場合、出入口のドアを開ける。また、入退場管理装置は、情報記憶媒体から読み取った情報に管理権限情報が含まれている場合、入場情報を記憶部等に記憶し、入場権限のみを有するオペレータが施設に入場した場合、記憶部等に入場情報が記憶されているか否かを判定する。入場情報が記憶されている場合、入退場管理装置は、当該オペレータが所持する情報記憶媒体に入場情報を書き込む。これにより、管理対象装置は、情報記憶媒体に基づいて管理者が施設に入場しているか否かを判定することができ、管理者が施設に入場している場合のみ利用可能とするといった制御を自動的に行うことができる。【選択図】図５
2008046725.tif 000002
【特許請求の範囲】
【請求項１】
利用者が所持する情報記憶媒体を使用して、利用者による施設への入退場を管理する入退場管理装置であって、
前記情報記憶媒体は、各利用者に応じて、前記施設への入場を許可する入場権限情報と、前記利用者が前記施設内に設置された管理対象装置の管理者であることを示す管理権限情報とを有しており、
前記入退場管理装置は、
入場の際に、前記情報記憶媒体から情報を読み取る第１情報読取手段と、
前記第１情報読取手段が読み取った情報に前記入場権限情報が含まれている場合に、前記利用者の前記施設への入場を可能とする入場制御手段と、
前記第１情報読取手段が読み取った情報に前記管理権限情報が含まれている場合に、前記利用者を管理者と特定する第１管理者特定手段と、
前記第１情報読取手段が読み取った情報に前記入場権限情報が含まれているが、前記管理権限情報が含まれていない場合に、前記利用者をオペレータと特定するオペレータ特定手段と、
前記第１管理者特定手段が前記利用者を管理者と特定した場合に、前記管理者が前記施設へ入場したことを示す入場情報を記憶する入場情報記憶手段と、
前記オペレータ特定手段が前記利用者をオペレータと特定した場合に、前記入場情報が記憶されているか否かを判定する記憶判定手段と、
前記記憶判定手段により前記入場情報が記憶されていると判定された場合、前記オペレータが所持する情報記憶媒体に前記入場情報を書き込む書込手段と、を備えることを特徴とする入退場管理装置。
【請求項２】
利用者が所持する情報記憶媒体を使用して、利用者による施設への入退場を管理する入退場管理装置であって、
前記情報記憶媒体は、各利用者に応じて、前記施設への入場を許可する入場権限情報と、前記利用者が前記施設内に設置された管理対象装置の管理者であることを示す管理権限情報と、前記管理対象装置の利用範囲を示す利用範囲情報とを有しており、
前記入退場管理装置は、
入場の際に、前記情報記憶媒体から情報を読み取る第１情報読取手段と、
前記第１情報読取手段が読み取った情報に前記入場権限情報が含まれている場合に、前記利用者の前記施設への入場を可能とする入場制御手段と、
前記第１情報読取手段が読み取った情報に前記管理権限情報が含まれている場合に、前記利用者を管理者と特定する第１管理者特定手段と、
前記第１情報読取手段が読み取った情報に前記入場権限情報が含まれているが、前記管理権限情報が含まれていない場合に、前記利用者をオペレータと特定するオペレータ特定手段と、
前記第１管理者特定手段が前記利用者を管理者と特定した場合に、前記管理者が前記施設へ入場したことを示す入場情報を記憶する入場情報記憶手段と、
前記オペレータ特定手段が前記利用者をオペレータと特定した場合に、前記入場情報が記憶されているか否かを判定する記憶判定手段と、
前記記憶判定手段により前記入場情報が記憶されていると判定された場合、前記オペレータが所持する情報記憶媒体が有する利用範囲情報を有効に設定する有効設定手段と、を備えることを特徴とする入退場管理装置。
【請求項３】
前記入退場管理装置は、前記管理対象装置と通信可能に接続されており、
退室の際に、前記情報記憶媒体から情報を読み取る第２情報読取手段と、
前記第２情報読取手段が読み取った情報に前記管理権限情報が含まれている場合に、前記利用者を管理者と特定する第２管理者特定手段と、
前記第２管理者特定手段が前記利用者を管理者と特定した場合に、前記入場情報記憶手段により記憶された入場情報を削除する入場情報削除手段と、
前記第２管理者特定手段が前記利用者を管理者と特定した場合に、前記管理者が前記施設から退場したことを示す退場情報を前記管理対象装置へ送信する退場情報送信手段と、を備えることを特徴とする請求項１又は２に記載の入退場管理装置。
【請求項４】
施設内に設置され、利用者が所持する情報記憶媒体を使用して管理される管理対象装置であって、
前記情報記憶媒体から情報を読み取る情報読取手段と、
前記情報読取手段が読み取った情報に、前記管理対象装置の管理者が前記施設内に入場したことを示す入場情報が含まれているか否かを判定する入場情報判定手段と、
前記入場情報判定手段により入場情報が含まれていると判定された場合に、前記管理対象装置が利用可能となるように制御する利用制御手段と、を備えることを特徴とする管理対象装置。
【請求項５】
施設内に設置され、利用者が所持する情報記憶媒体を使用して管理される管理対象装置であって、
前記情報記憶媒体は、前記管理対象装置の利用範囲を示す利用範囲情報を有しており、
前記利用範囲情報は、前記管理対象装置の管理者が前記施設内に入場した場合に有効に設定されるものであって、
前記情報記憶手段から情報を読み取る情報読取手段と、
前記情報読取手段が読み取った情報に含まれる利用範囲情報の設定が有効であるか否かを判定する有効判定手段と、
前記有効判定手段により設定が有効であると判定された場合に、前記利用範囲情報に基づいて、前記管理対象装置が利用可能となるように制御する利用制御手段と、を備えることを特徴とする管理対象装置。
【請求項６】
前記管理対象装置は、利用者による前記施設への入退場を管理する入退場管理装置と通信可能に接続されており、
前記入退場管理装置から、前記管理者が前記施設から退場したことを示す退場情報を受信する退場情報受信手段をさらに備え、
前記利用制御手段は、前記退場情報受信手段が前記退場情報を受信した場合に、前記管理対象装置が利用不可能となるように制御することを特徴とする請求項４又は５に記載の管理対象装置。
【請求項７】
利用者が所持する情報記憶媒体を使用して、施設内に設置された管理対象装置の使用を管理する管理システムであって、
前記管理システムは、前記管理対象装置と、前記利用者による前記施設への入退場を管理する入退場管理装置とから構成されており、
前記入退場管理装置は、
入場の際に、前記情報記憶媒体から情報を読み取る第１情報読取手段と、
前記第１情報読取手段が読み取った情報に前記入場権限情報が含まれている場合に、前記利用者の前記施設への入場を可能とする入場制御手段と、
前記第１情報読取手段が読み取った情報に前記管理権限情報が含まれている場合に、前記利用者を管理者と特定する第１管理者特定手段と、
前記第１情報読取手段が読み取った情報に前記入場権限情報が含まれているが、前記管理権限情報が含まれていない場合に、前記利用者をオペレータと特定するオペレータ特定手段と、
前記第１管理者特定手段が前記利用者を管理者と特定した場合に、前記管理者が前記施設へ入場したことを示す入場情報を記憶する入場情報記憶手段と、
前記オペレータ特定手段が前記利用者をオペレータと特定した場合に、前記入場情報が記憶されているか否かを判定する記憶判定手段と、
前記記憶判定手段により前記入場情報が記憶されていると判定された場合、前記オペレータが所持する情報記憶媒体に前記入場情報を書き込む書込手段と、を備え、
前記管理対象装置は、
前記情報記憶媒体から情報を読み取る第３情報読取手段と、
前記第３情報読取手段が読み取った情報に、前記管理対象装置の管理者が前記施設内に入場したことを示す入場情報が含まれているか否かを判定する入場情報判定手段と、
前記入場情報判定手段により入場情報が含まれていると判定された場合に、前記管理対象装置が利用可能となるように制御する利用制御手段と、を備えることを特徴とする管理システム。
【請求項８】
利用者が所持する情報記憶媒体を使用して、施設内に設置された管理対象装置の利用を管理する管理システムであって、
前記管理システムは、前記管理対象装置と、前記利用者による前記施設への入退場を管理する入退場管理装置とから構成されており、
前記情報記憶媒体は、各利用者に応じて、前記施設への入場を許可する入場権限情報と、前記利用者が前記施設内に設置された管理対象装置の管理者であることを示す管理権限情報と、前記管理対象装置の利用範囲を示す利用範囲情報とを有するものであって、
前記入退場管理装置は、
入場の際に、前記情報記憶媒体から情報を読み取る第１情報読取手段と、
前記第１情報読取手段が読み取った情報に前記入場権限情報が含まれている場合に、前記利用者の前記施設への入場を可能とする入場制御手段と、
前記第１情報読取手段が読み取った情報に前記管理権限情報が含まれている場合に、前記利用者を管理者と特定する第１管理者特定手段と、
前記第１情報読取手段が読み取った情報に前記入場権限情報が含まれているが、前記管理権限情報が含まれていない場合に、前記利用者をオペレータと特定するオペレータ特定手段と、
前記第１管理者特定手段が前記利用者を管理者と特定した場合に、前記管理者が前記施設へ入場したことを示す入場情報を記憶する入場情報記憶手段と、
前記オペレータ特定手段が前記利用者をオペレータと特定した場合に、前記入場情報が記憶されているか否かを判定する記憶判定手段と、
前記記憶判定手段により前記入場情報が記憶されていると判定された場合、前記オペレータが所持する情報記憶媒体が有する利用範囲情報を有効に設定する有効設定手段と、を備え、
前記管理対象装置は、
前記情報記憶手段から情報を読み取る第３情報読取手段と、
前記第３情報読取手段が読み取った情報に含まれる利用範囲情報の設定が有効であるか否かを判定する有効判定手段と、
前記有効判定手段により設定が有効であると判定された場合に、前記利用範囲情報に基づいて、前記管理対象装置が利用可能となるように制御する利用制御手段と、を備えることを特徴とする管理システム。
【請求項９】
前記入退場管理装置及び前記管理対象装置は、通信可能に接続されており、
前記入退場管理装置は、
退室の際に、前記情報記憶媒体から情報を読み取る第２情報読取手段と、
前記第２情報読取手段が読み取った情報に前記管理権限情報が含まれている場合に、前記利用者を管理者と特定する第２管理者特定手段と、
前記第２管理者特定手段が前記利用者を管理者と特定した場合に、前記入場情報記憶手段により記憶された入場情報を削除する入場情報削除手段と、
前記第２管理者特定手段が前記利用者を管理者と特定した場合に、前記管理者が前記施設から退場したことを示す退場情報を前記管理対象装置へ送信する退場情報送信手段と、をさらに備え、
前記管理対象装置は、
前記入退場管理装置から、前記退場情報を受信する退場情報受信手段をさらに備え、
前記利用制御手段は、前記退場情報受信手段が前記退場情報を受信した場合に、前記管理対象装置が利用不可能となるように制御することを特徴とする請求項７又は８に記載の管理システム。
【請求項１０】
利用者が所持する情報記憶媒体を使用して、利用者による施設への入退場を管理するコンピュータにより実行されるプログラムであって、
前記情報記憶媒体は、各利用者に応じて、前記施設への入場を許可する入場権限情報と、前記利用者が前記施設内に設置された管理対象装置の管理者であることを示す管理権限情報とを有しており、
前記プログラムは、
入場の際に、前記情報記憶媒体から情報を読み取る第１情報読取手段、
前記第１情報読取手段が読み取った情報に前記入場権限情報が含まれている場合に、前記利用者の前記施設への入場を可能とする入場制御手段、
前記第１情報読取手段が読み取った情報に前記管理権限情報が含まれている場合に、前記利用者を管理者と特定する第１管理者特定手段、
前記第１情報読取手段が読み取った情報に前記入場権限情報が含まれているが、前記管理権限情報が含まれていない場合に、前記利用者をオペレータと特定するオペレータ特定手段、
前記第１管理者特定手段が前記利用者を管理者と特定した場合に、前記管理者が前記施設へ入場したことを示す入場情報を記憶する入場情報記憶手段、
前記オペレータ特定手段が前記利用者をオペレータと特定した場合に、前記入場情報が記憶されているか否かを判定する記憶判定手段、
前記記憶判定手段により前記入場情報が記憶されていると判定された場合、前記オペレータが所持する情報記憶媒体に前記入場情報を書き込む書込手段、として前記コンピュータを機能させることを特徴とするプログラム。
【請求項１１】
利用者が所持する情報記憶媒体を使用して、利用者による施設への入退場を管理するコンピュータにより実行されるプログラムであって、
前記情報記憶媒体は、各利用者に応じて、前記施設への入場を許可する入場権限情報と、前記利用者が前記施設内に設置された管理対象装置の管理者であることを示す管理権限情報と、前記管理対象装置の利用範囲を示す利用範囲情報とを有しており、
前記プログラムは、
入場の際に、前記情報記憶媒体から情報を読み取る第１情報読取手段、
前記第１情報読取手段が読み取った情報に前記入場権限情報が含まれている場合に、前記利用者の前記施設への入場を可能とする入場制御手段、
前記第１情報読取手段が読み取った情報に前記管理権限情報が含まれている場合に、前記利用者を管理者と特定する第１管理者特定手段、
前記第１情報読取手段が読み取った情報に前記入場権限情報が含まれているが、前記管理権限情報が含まれていない場合に、前記利用者をオペレータと特定するオペレータ特定手段、
前記第１管理者特定手段が前記利用者を管理者と特定した場合に、前記管理者が前記施設へ入場したことを示す入場情報を記憶する入場情報記憶手段、
前記オペレータ特定手段が前記利用者をオペレータと特定した場合に、前記入場情報が記憶されているか否かを判定する記憶判定手段、
前記記憶判定手段により前記入場情報が記憶されていると判定された場合、前記オペレータが所持する情報記憶媒体が有する利用範囲情報を有効に設定する有効設定手段、として前記コンピュータを機能させることを特徴とするプログラム。
【請求項１２】
施設内に設置され、利用者が所持する情報記憶媒体を使用して管理されるコンピュータにより実行されるプログラムであって、
前記情報記憶媒体から情報を読み取る情報読取手段、
前記情報読取手段が読み取った情報に、前記コンピュータの管理者が前記施設内に入場したことを示す入場情報が含まれているか否かを判定する入場情報判定手段、
前記入場情報判定手段により入場情報が含まれていると判定された場合に、前記コンピュータが利用可能となるように制御する利用制御手段、として前記コンピュータを機能させることを特徴とするプログラム。
【請求項１３】
施設内に設置され、利用者が所持する情報記憶媒体を使用して管理されるコンピュータにより実行されるプログラムであって、
前記情報記憶媒体は、前記コンピュータの利用範囲を示す利用範囲情報を有しており、
前記利用範囲情報は、前記コンピュータの管理者が前記施設内に入場した場合に有効に設定されるものであって、
前記情報記憶手段から情報を読み取る情報読取手段、
前記情報読取手段が読み取った情報に含まれる利用範囲情報の設定が有効であるか否かを判定する有効判定手段、
前記有効判定手段により設定が有効であると判定された場合に、前記利用範囲情報に基づいて、前記コンピュータが利用可能となるように制御する利用制御手段、として前記コンピュータを機能させることを特徴とするプログラム。
【発明の詳細な説明】
【技術分野】
【０００１】
本発明は、入室が管理された施設内の部屋などに備えられた電子機器や設備などの管理対象装置の利用を管理する管理システムに関する。
【背景技術】
【０００２】
所定の室内にある電子機器や設備をオペレータが利用する際、情報漏洩防止等の観点から、管理者が当該室内にいることが条件となる場合がある。この場合、オペレータが電子機器や設備を利用するためには、「入室した管理者が電子機器や設備を利用可能な状態とする」、「電子機器や設備を利用する際に、オペレータが管理者に申し出て、管理者が当該電子機器等を利用可能な状態とする」、「電子機器や設備を利用する際に、オペレータが管理者から当該電子機器等を利用可能にする媒体を受け取り、オペレータが当該電子機器等を利用可能な状態とする」などの方法がとられている。同様に、電子機器や設備の利用を停止させるためには、「管理者が電子機器や設備を利用停止の状態にする」などの方法がとられている。
【０００３】
しかし、従来の方法では、電子機器や設備を利用可能な状態又は利用停止の状態にするため、管理者自らがその都度対応する必要がある。そのため、管理者が利用可能な状態とすることを忘れる、利用可能にする媒体の管理が面倒であるといった問題が生じていた。また、電子機器や設備の数が多い場合、管理者に多大な負担がかかるという問題が生じていた。
【０００４】
一方、従来、使用権限を有しない第三者によるコンピュータの不正使用を防止するためのセキュリティ技術として、ＩＣカード等の情報記憶媒体を用いたものが既に知られている。その一例では、コンピュータが使用される際に、予め本人を認証するための識別情報を記憶させたＩＣカード等の情報記憶媒体から識別情報を読み取り、その読み取った識別情報に基づいた照合処理により本人認証を行い、その認証が成立した場合にコンピュータの使用を可能とする（例えば、特許文献１及び２を参照）。
【０００５】
【特許文献１】特開２００３−３０１５５号公報
【特許文献２】特開２００４−７０５４２号公報
【発明の開示】
【発明が解決しようとする課題】
【０００６】
本発明は、以上の点に鑑みてなされたものであり、情報記憶媒体を使用して、管理者の手を煩わせることなく、簡易に、管理者が室内にいる間だけ自動的に電子機器や設備の利用が可能となる管理システムを提供することを課題とする。
【課題を解決するための手段】
【０００７】
本発明の１つの観点では、利用者が所持する情報記憶媒体を使用して、利用者による施設への入退場を管理する入退場管理装置であって、前記情報記憶媒体は、各利用者に応じて、前記施設への入場を許可する入場権限情報と、前記利用者が前記施設内に設置された管理対象装置の管理者であることを示す管理権限情報とを有しており、前記入退場管理装置は、入場の際に、前記情報記憶媒体から情報を読み取る第１情報読取手段と、前記第１情報読取手段が読み取った情報に前記入場権限情報が含まれている場合に、前記利用者の前記施設への入場を可能とする入場制御手段と、前記第１情報読取手段が読み取った情報に前記管理権限情報が含まれている場合に、前記利用者を管理者と特定する第１管理者特定手段と、前記第１情報読取手段が読み取った情報に前記入場権限情報が含まれているが、前記管理権限情報が含まれていない場合に、前記利用者をオペレータと特定するオペレータ特定手段と、前記第１管理者特定手段が前記利用者を管理者と特定した場合に、前記管理者が前記施設へ入場したことを示す入場情報を記憶する入場情報記憶手段と、前記オペレータ特定手段が前記利用者をオペレータと特定した場合に、前記入場情報が記憶されているか否かを判定する記憶判定手段と、前記記憶判定手段により前記入場情報が記憶されていると判定された場合、前記オペレータが所持する情報記憶媒体に前記入場情報を書き込む書込手段と、を備える。
【０００８】
上記のように構成された入退場管理装置は、利用者による施設内への入退場を管理する装置である。施設としては、例えばビルなどの建物、そのフロア、部屋などが挙げられる。また、施設内には管理対象装置が設置されており、管理対象装置としては、例えばパソコン、プリンタなどの電子機器、電子制御機能を有するタイムレコーダ、キャビネット、ロッカーなどの設備、及び、建物内部の部屋などが挙げられる。入退場管理装置は、利用者が所持する情報記憶媒体により、施設内への入退場を管理している。情報記憶媒体としては、例えばＩＣカードなど、情報の読み取りが可能な媒体が使用される。
【０００９】
具体的に、入退場管理装置は、施設の出入口近傍に設けられる。入退場管理装置は、利用者が施設に入退場する際に、利用者が所持する情報記憶媒体から情報を読み取る。情報記憶媒体には、利用者に応じて予め入場を許可する入場権限情報や管理対象装置を管理する管理権限情報が記憶されている。入退場管理装置は、情報記憶媒体から読み取った情報に入場権限情報が含まれている場合、出入口のドアを開ける等によって、当該情報記憶媒体を所持する利用者の入場を許可する。一方、入退場管理装置は、情報記憶媒体から読み取った情報に入場権限情報が含まれていない場合、出入口のドアを開けず、入場を許可しない。また、入退場管理装置は、情報記憶媒体から読み取った情報に管理権限情報が含まれている場合、施設内に管理者が入場したことを示す入場情報を記憶部等に記憶する。さらに、入退場管理装置は、入場権限のみを有するオペレータが施設に入場した場合、記憶部等に入場情報が記憶されているか否かを判定する。入場情報が記憶されている場合、入退場管理装置は、当該オペレータが所持する情報記憶媒体に入場情報を書き込む。これにより、管理対象装置は、ＩＣカードリーダライタ等により情報記憶媒体から情報を読み取り、当該情報に入場情報が含まれているか否かを判定することで、容易に管理者が施設に入場しているか否かを判定することができる。よって、管理対象装置は、管理者が施設に入場している場合のみ、利用可能とするといった制御を行うことができる。
【００１０】
本発明の別の観点では、利用者が所持する情報記憶媒体を使用して、利用者による施設への入退場を管理する入退場管理装置であって、前記情報記憶媒体は、各利用者に応じて前記施設への入場を許可する入場権限情報と、前記利用者が前記施設内に設置された管理対象装置の管理者であることを示す管理権限情報と、前記管理対象装置の利用範囲を示す利用範囲情報とを有しており、前記入退場管理装置は、入場の際に、前記情報記憶媒体から情報を読み取る第１情報読取手段と、前記第１情報読取手段が読み取った情報に前記入場権限情報が含まれている場合に、前記利用者の前記施設への入場を可能とする入場制御手段と、前記第１情報読取手段が読み取った情報に前記管理権限情報が含まれている場合に、前記利用者を管理者と特定する第１管理者特定手段と、前記第１情報読取手段が読み取った情報に前記入場権限情報が含まれているが、前記管理権限情報が含まれていない場合に、前記利用者をオペレータと特定するオペレータ特定手段と、前記第１管理者特定手段が前記利用者を管理者と特定した場合に、前記管理者が前記施設へ入場したことを示す入場情報を記憶する入場情報記憶手段と、前記オペレータ特定手段が前記利用者をオペレータと特定した場合に、前記入場情報が記憶されているか否かを判定する記憶判定手段と、前記記憶判定手段により前記入場情報が記憶されていると判定された場合、前記オペレータが所持する情報記憶媒体が有する利用範囲情報を有効に設定する有効設定手段と、を備える。
【００１１】
上記のように構成された入退場管理装置は、施設の出入口近傍に設けられる。入退場管理装置は、利用者が施設に入退場する際に、利用者が所持する情報記憶媒体から情報を読み取る。情報記憶媒体には、利用者に応じて、予め入場を許可する入場権限情報や管理対象装置を管理する管理権限情報が記憶されている。また、情報記憶媒体には、予め各利用者に応じて、管理対象装置の利用範囲を示す利用範囲情報が記憶されている。入退場管理装置は、情報記憶媒体から読み取った情報に入場権限情報が含まれている場合、出入口のドアを開ける等によって、当該情報記憶媒体を所持する利用者の入場を許可する。一方、入退場管理装置は、情報記憶媒体から読み取った情報に入場権限情報が含まれていない場合、出入口のドアを開けず、入場を許可しない。また、入退場管理装置は、情報記憶媒体から読み取った情報に管理権限情報が含まれている場合、施設内に管理者が入場したことを示す入場情報を記憶部等に記憶する。さらに、入退場管理装置は、入場権限のみを有するオペレータが施設に入場した場合、記憶部等に入場情報が記憶されているか否かを判定する。入場情報が記憶されている場合、入退場管理装置は、当該オペレータが所持する情報記憶媒体に予め記憶されている利用範囲情報を有効とする。これにより、管理対象装置は、ＩＣカードリーダライタ等により情報記憶媒体から情報を読み取り、利用範囲情報が有効に設定されている場合には、利用範囲情報に基づいて管理対象装置の利用を制御することができる。よって、管理者が施設に入場している場合のみ、利用範囲情報の範囲内で管理対象装置の利用を可能とするといった制御を行うことができる。
【００１２】
上記入退場管理装置の一態様では、前記入退場管理装置は、前記管理対象装置と通信可能に接続されており、退室の際に、前記情報記憶媒体から情報を読み取る第２情報読取手段と、前記第２情報読取手段が読み取った情報に前記管理権限情報が含まれている場合に、前記利用者を管理者と特定する第２管理者特定手段と、前記第２管理者特定手段が前記利用者を管理者と特定した場合に、前記入場情報記憶手段により記憶された入場情報を削除する入場情報削除手段と、前記第２管理者特定手段が前記利用者を管理者と特定した場合に、前記管理者が前記施設から退場したことを示す退場情報を前記管理対象装置へ送信する退場情報送信手段と、を備える。これによれば、入退場管理装置は、管理者が施設から退室した場合に、記憶部等に記憶した入場情報を削除する。また、入退場管理装置は、インターネットをはじめとするネットワークを介して、管理対象装置へ退室情報を送信する。これによれば、管理対象装置は、退場情報を受信した場合に、管理者が施設から退場したことを認識し、管理対象装置の利用を不可能な状態にするといった制御を容易に行うことができる。よって、管理者が施設から退場したにも関わらず、オペレータが管理対象装置を使用し続けることができるといった問題を解消することができる。
【００１３】
本発明の別の観点では、施設内に設置され、利用者が所持する情報記憶媒体を使用して管理される管理対象装置であって、前記情報記憶媒体から情報を読み取る情報読取手段と、前記情報読取手段が読み取った情報に、前記管理対象装置の管理者が前記施設内に入場したことを示す入場情報が含まれているか否かを判定する入場情報判定手段と、前記入場情報判定手段により入場情報が含まれていると判定された場合に、前記管理対象装置が利用可能となるように制御する。これによれば、管理対象装置は、ＩＣカードリーダライタ等により情報記憶媒体から情報を読み取り、当該情報に入場情報が含まれている場合に、当該管理対象装置を利用可能とする。よって、管理者が特別な対応をすることなく、容易に、管理者が施設内に入場した場合に限り管理対象装置の利用を可能とすることができる。
【００１４】
本発明の別の観点では、施設内に設置され、利用者が所持する情報記憶媒体を使用して管理される管理対象装置であって、前記情報記憶媒体は、前記管理対象装置の利用範囲を示す利用範囲情報を有しており、前記利用範囲情報は、前記管理対象装置の管理者が前記施設内に入場した場合に有効に設定されるものであって、前記情報記憶手段から情報を読み取る情報読取手段と、前記情報読取手段が読み取った情報に含まれる利用範囲情報の設定が有効であるか否かを判定する有効判定手段と、前記有効判定手段により設定が有効であると判定された場合に、前記利用範囲情報に基づいて、前記管理対象装置が利用可能となるように制御する利用制御手段と、を備える。これによれば、管理対象装置は、ＩＣカードリーダライタ等により情報記憶媒体から情報を読み取り、予め情報記憶媒体に記憶された利用範囲情報が有効に設定されている場合に、当該利用範囲情報に基づいて管理対象装置を利用可能とする。よって、管理者が特別な対応をすることなく、容易に、管理者が施設内に入場した場合に限り、所定の範囲内で管理対象装置の利用を可能とすることができる。ここで、利用範囲情報とは、管理対象装置の利用可能回数や管理対象装置を利用可能な有効時間等である。つまり、利用範囲情報に基づいて設定された範囲内で管理対象装置の利用を可能とすることにより、管理者が退室した後、無制限に管理対象装置を利用できるといった問題を解消することができる。
【００１５】
上記管理対象装置の一態様では、前記管理対象装置は、利用者による前記施設への入退場を管理する入退場管理装置と通信可能に接続されており、前記入退場管理装置から、前記管理者が前記施設から退場したことを示す退場情報を受信する退場情報受信手段をさらに備え、前記利用制御手段は、前記退場情報受信手段が前記退場情報を受信した場合に、前記管理対象装置が利用不可能となるように制御する。これによれば、管理対象装置は、インターネットをはじめとするネットワークを介して、入退場管理装置から退室情報を受信する。これによれば、管理対象装置は、退室情報に基づいて管理者が施設から退場したことを認識し、管理対象装置の利用を不可能な状態にするといった制御を容易に行うことができる。よって、管理者が施設から退場したにも関わらず、オペレータが管理対象装置を使用し続けることができるといった問題を解消することができる。
【００１６】
本発明の別の観点では、利用者が所持する情報記憶媒体を使用して、施設内に設置された管理対象装置の使用を管理する管理システムであって、前記管理システムは、前記管理対象装置と、前記利用者による前記施設への入退場を管理する入退場管理装置とから構成されており、前記入退場管理装置は、入場の際に、前記情報記憶媒体から情報を読み取る第１情報読取手段と、前記第１情報読取手段が読み取った情報に前記入場権限情報が含まれている場合に、前記利用者の前記施設への入場を可能とする入場制御手段と、前記第１情報読取手段が読み取った情報に前記管理権限情報が含まれている場合に、前記利用者を管理者と特定する第１管理者特定手段と、前記第１情報読取手段が読み取った情報に前記入場権限情報が含まれているが、前記管理権限情報が含まれていない場合に、前記利用者をオペレータと特定するオペレータ特定手段と、前記第１管理者特定手段が前記利用者を管理者と特定した場合に、前記管理者が前記施設へ入場したことを示す入場情報を記憶する入場情報記憶手段と、前記オペレータ特定手段が前記利用者をオペレータと特定した場合に、前記入場情報が記憶されているか否かを判定する記憶判定手段と、前記記憶判定手段により前記入場情報が記憶されていると判定された場合、前記オペレータが所持する情報記憶媒体に前記入場情報を書き込む書込手段と、を備え、前記管理対象装置は、前記情報記憶媒体から情報を読み取る第３情報読取手段と、前記第３情報読取手段が読み取った情報に、前記管理対象装置の管理者が前記施設内に入場したことを示す入場情報が含まれているか否かを判定する入場情報判定手段と、前記入場情報判定手段により入場情報が含まれていると判定された場合に、前記管理対象装置が利用可能となるように制御する利用制御手段と、を備える。
【００１７】
上記のように構成された管理システムによれば、管理対象装置は、ＩＣカードリーダライタ等により情報記憶媒体から情報を読み取り、当該情報に入場情報が含まれているか否かを判定することで、容易に管理者が施設に入場しているか否かを判定することができる。よって、管理対象装置は、管理者が施設に入場している場合のみ、利用可能とするといった制御を行うことができる。つまり、情報記憶媒体を使用して、管理者の手を煩わせることなく、簡易に、管理者が施設に入場した際、自動的に電子機器や設備といった管理対象装置の利用が可能となる管理システムを提供することができる。
【００１８】
本発明の別の観点では、利用者が所持する情報記憶媒体を使用して、施設内に設置された管理対象装置の利用を管理する管理システムであって、前記管理システムは、前記管理対象装置と、前記利用者による前記施設への入退場を管理する入退場管理装置とから構成されており、前記情報記憶媒体は、各利用者に応じて、前記施設への入場を許可する入場権限情報と、前記利用者が前記施設内に設置された管理対象装置の管理者であることを示す管理権限情報と、前記管理対象装置の利用範囲を示す利用範囲情報とを有するものであって、前記入退場管理装置は、入場の際に、前記情報記憶媒体から情報を読み取る第１情報読取手段と、前記第１情報読取手段が読み取った情報に前記入場権限情報が含まれている場合に、前記利用者の前記施設への入場を可能とする入場制御手段と、前記第１情報読取手段が読み取った情報に前記管理権限情報が含まれている場合に、前記利用者を管理者と特定する第１管理者特定手段と、前記第１情報読取手段が読み取った情報に前記入場権限情報が含まれているが、前記管理権限情報が含まれていない場合に、前記利用者をオペレータと特定するオペレータ特定手段と、前記第１管理者特定手段が前記利用者を管理者と特定した場合に、前記管理者が前記施設へ入場したことを示す入場情報を記憶する入場情報記憶手段と、前記オペレータ特定手段が前記利用者をオペレータと特定した場合に、前記入場情報が記憶されているか否かを判定する記憶判定手段と、前記記憶判定手段により前記入場情報が記憶されていると判定された場合、前記オペレータが所持する情報記憶媒体が有する利用範囲情報を有効に設定する有効設定手段と、を備え、前記管理対象装置は、前記情報記憶手段から情報を読み取る第３情報読取手段と、前記第３情報読取手段が読み取った情報に含まれる利用範囲情報の設定が有効であるか否かを判定する有効判定手段と、前記有効判定手段により設定が有効であると判定された場合に、前記利用範囲情報に基づいて、前記管理対象装置が利用可能となるように制御する利用制御手段と、を備える。
【００１９】
上記のように構成された管理システムによれば、管理対象装置は、ＩＣカードリーダライタ等により情報記憶媒体から情報を読み取り、利用範囲情報が有効に設定されている場合には、利用範囲情報に基づいて管理対象装置の利用を制御することができる。よって、管理者が施設に入場している場合のみ、利用範囲情報の範囲内で管理対象装置の利用を可能とするといった制御を行うことができる。換言すると、利用範囲情報に基づいて設定された範囲内で管理対象装置の利用を可能とすることにより、管理者が退室した後、無制限に管理対象装置を利用できるといった問題を解消することができる。
【００２０】
上記管理システムの一態様では、前記入退場管理装置及び前記管理対象装置は、通信可能に接続されており、前記入退場管理装置は、退室の際に、前記情報記憶媒体から情報を読み取る第２情報読取手段と、前記第２情報読取手段が読み取った情報に前記管理権限情報が含まれている場合に、前記利用者を管理者と特定する第２管理者特定手段と、前記第２管理者特定手段が前記利用者を管理者と特定した場合に、前記入場情報記憶手段により記憶された入場情報を削除する入場情報削除手段と、前記第２管理者特定手段が前記利用者を管理者と特定した場合に、前記管理者が前記施設から退場したことを示す退場情報を前記管理対象装置へ送信する退場情報送信手段と、をさらに備え、前記管理対象装置は、前記入退場管理装置から、前記退場情報を受信する退場情報受信手段をさらに備え、前記利用制御手段は、前記退場情報受信手段が前記退場情報を受信した場合に、前記管理対象装置が利用不可能となるように制御する。これによれば、管理対象装置は、退場情報を受信した場合に、管理者が施設から退場したことを認識し、管理対象装置の利用を不可能な状態にするといった制御を容易に行うことができる。よって、管理者が施設から退場したにも関わらず、オペレータが管理対象装置を使用し続けることができるといった問題を解消することができる。
【００２１】
本発明の別の観点では、利用者が所持する情報記憶媒体を使用して、利用者による施設への入退場を管理するコンピュータにより実行されるプログラムであって、前記情報記憶媒体は、各利用者に応じて、前記施設への入場を許可する入場権限情報と、前記利用者が前記施設内に設置された管理対象装置の管理者であることを示す管理権限情報とを有しており、前記プログラムは、入場の際に、前記情報記憶媒体から情報を読み取る第１情報読取手段、前記第１情報読取手段が読み取った情報に前記入場権限情報が含まれている場合に、前記利用者の前記施設への入場を可能とする入場制御手段、前記第１情報読取手段が読み取った情報に前記管理権限情報が含まれている場合に、前記利用者を管理者と特定する第１管理者特定手段、前記第１情報読取手段が読み取った情報に前記入場権限情報が含まれているが、前記管理権限情報が含まれていない場合に、前記利用者をオペレータと特定するオペレータ特定手段、前記第１管理者特定手段が前記利用者を管理者と特定した場合に、前記管理者が前記施設へ入場したことを示す入場情報を記憶する入場情報記憶手段、前記オペレータ特定手段が前記利用者をオペレータと特定した場合に、前記入場情報が記憶されているか否かを判定する記憶判定手段、前記記憶判定手段により前記入場情報が記憶されていると判定された場合、前記オペレータが所持する情報記憶媒体に前記入場情報を書き込む書込手段、として前記コンピュータを機能させる。
【００２２】
本発明の別の観点では、利用者が所持する情報記憶媒体を使用して、利用者による施設への入退場を管理するコンピュータにより実行されるプログラムであって、前記情報記憶媒体は、各利用者に応じて、前記施設への入場を許可する入場権限情報と、前記利用者が前記施設内に設置された管理対象装置の管理者であることを示す管理権限情報と、前記管理対象装置の利用範囲を示す利用範囲情報とを有しており、前記プログラムは、入場の際に、前記情報記憶媒体から情報を読み取る第１情報読取手段、前記第１情報読取手段が読み取った情報に前記入場権限情報が含まれている場合に、前記利用者の前記施設への入場を可能とする入場制御手段、前記第１情報読取手段が読み取った情報に前記管理権限情報が含まれている場合に、前記利用者を管理者と特定する第１管理者特定手段、前記第１情報読取手段が読み取った情報に前記入場権限情報が含まれているが、前記管理権限情報が含まれていない場合に、前記利用者をオペレータと特定するオペレータ特定手段、前記第１管理者特定手段が前記利用者を管理者と特定した場合に、前記管理者が前記施設へ入場したことを示す入場情報を記憶する入場情報記憶手段、前記オペレータ特定手段が前記利用者をオペレータと特定した場合に、前記入場情報が記憶されているか否かを判定する記憶判定手段、前記記憶判定手段により前記入場情報が記憶されていると判定された場合、前記オペレータが所持する情報記憶媒体が有する利用範囲情報を有効に設定する有効設定手段、として前記コンピュータを機能させる。
【００２３】
上記プログラムをコンピュータにより実行することにより、上述の入退場管理装置を実現することができる。また、上述の入退場管理装置の各態様も同様に実現することができる。
【００２４】
本発明の別の観点では、施設内に設置され、利用者が所持する情報記憶媒体を使用して管理されるコンピュータにより実行されるプログラムであって、前記情報記憶媒体から情報を読み取る情報読取手段、前記情報読取手段が読み取った情報に、前記コンピュータの管理者が前記施設内に入場したことを示す入場情報が含まれているか否かを判定する入場情報判定手段、前記入場情報判定手段により入場情報が含まれていると判定された場合に、前記コンピュータが利用可能となるように制御する利用制御手段、として前記コンピュータを機能させる。
【００２５】
本発明のさらに別の観点では、施設内に設置され、利用者が所持する情報記憶媒体を使用して管理されるコンピュータにより実行されるプログラムであって、前記情報記憶媒体は、前記コンピュータの利用範囲を示す利用範囲情報を有しており、前記利用範囲情報は、前記コンピュータの管理者が前記施設内に入場した場合に有効に設定されるものであって、前記情報記憶手段から情報を読み取る情報読取手段、前記情報読取手段が読み取った情報に含まれる利用範囲情報の設定が有効であるか否かを判定する有効判定手段、前記有効判定手段により設定が有効であると判定された場合に、前記利用範囲情報に基づいて、前記コンピュータが利用可能となるように制御する利用制御手段、として前記コンピュータを機能させる。
【００２６】
上記プログラムをコンピュータにより実行することにより、上述の管理対象装置を実現することができる。また、上述の管理対象装置の各態様も同様に実現することができる。
【発明の効果】
【００２７】
本発明によれば、情報記憶媒体を使用して、管理者の手を煩わせることなく、簡易に、管理者が室内にいる間だけ自動的に電子機器や設備の利用が可能となる。
【発明を実施するための最良の形態】
【００２８】
以下、図面を参照して本発明の好適な実施の形態について説明する。
【００２９】
本発明は、情報記憶媒体を使用して、管理者の手を煩わせることなく、施設内に備えられた管理対象装置の利用を管理するものである。
【００３０】
本実施形態において電子機器の利用を管理する管理システムの概要を図１に示す。なお、本発明における施設とは、例えば、部屋、ビル、ビル内のフロア、特定場所、特定エリア、特定領域、特定地域、などが含まれるが、本実施形態の説明においては、一例として電子機器が備えられている部屋について説明する。
【００３１】
部屋４の内部に備えられた電子機器であるパソコン５０は、室内に電子機器の管理権限を有する管理者１がいる間のみ、オペレータ２が利用することが可能となる。管理者１は、部屋４への入室権限及びパソコン５０の管理権限を有しており、情報記憶媒体である非接触ＩＣカード３ａを所持している。一方、オペレータ２は、部屋４への入室権限を有しており、情報記憶媒体である非接触ＩＣカード３ｂを所持している。なお、非接触ＩＣカード３とは、非接触ＩＣカード３ａ及び３ｂの双方を含むものとする。
【００３２】
この部屋４の入口５ａの近傍には、入室管理装置６が備えられ、この入室管理装置６により入口５ａに備えられている自動ドア７の開閉状態がコントロールされている。入室管理装置６は、非接触ＩＣカード３との間で無線により情報の伝送が行えるように構成され、非接触ＩＣカード３に記憶されている情報の読み取りが可能である。さらに、この部屋４の出口５ｂの近傍には、退室管理装置１０が備えられ、この退室管理装置１０により自動ドア７の開閉状態がコントロールされている。また、退室管理装置１０は、非接触ＩＣカード３との間で無線により情報の伝送が行えるように構成され、非接触ＩＣカード３に記憶されている情報の読み取りが可能である。つまり、本実施形態では、入退室のアクセス制御として非接触ＩＣカード３を使用している。
【００３３】
なお、部屋４には、入口５ａと出口５ｂを別々に設ける場合と、入口５ａと出口５ｂを１つにして出入口とする場合とがあるが、図１には、１つの出入口を用いた場合が示されている。また、入室管理装置６と退室管理装置１０を一体型に構成した入退室管理装置とし、部屋の外部と内部を隔てる壁の一部に設けるようにしてもよい。ここで、入退室管理装置とは、例えば、非接触ＩＣカード３からの情報の読取及び非接触ＩＣカード３への情報の書込を行うことができるＩＣカードリーダライタ等である。
【００３４】
また、パソコン５０はＩＣカードリーダライタ９が備えられている。ＩＣカードリーダライタ９は、入退室管理装置と同様に、非接触ＩＣカード３からの情報の読取及び非接触ＩＣカード３への情報の書込を行うことができる。
【００３５】
情報記憶媒体である非接触ＩＣカード３は、例えば、図２乃至図４に示すように、カード基材３０及び３１の内部に非接触ＩＣタグ８が内蔵された構成を有している。非接触ＩＣタグ８は、例えば、非接触データキャリアやＲＦＩＤともいわれ、図４に示すように、プラスチック等の基材８１にコイルパターンからなる送受信部８８が形成されている。非接触ＩＣタグ８は、コイルと容量素子とにより共振回路を形成して一定周波数の電波を受信及び送信する。また、他の方式として、リーダライタからの搬送波の電磁誘導により電力伝送及びデータ伝送を行うようにしてもよい。一般的には、１３５ｋＨｚ（中波）、１３．５６ＭＨｚ、２．４５ＧＨｚ（マイクロ波）の周波数帯が使用される。
【００３６】
図示した例の場合、コイルパターンからなる送受信部８８は、導通部材８４により基材８１の裏面でジャンピング回路を形成し、コイル接続端子８８ＣによりＩＣチップ８２の裏面のバンプに接続している。ＩＣチップ８２には、ＣＰＵである制御部８９と、メモリである記憶部９０とが備えられている。
【００３７】
図示した例では、容量素子はＩＣチップ８２に内蔵されている。このような非接触ＩＣタグ８は、樹脂基材にラミネートしたアルミ箔等の金属箔をフォトエッチングやレジスト印刷後のエッチングすることによりコイルパターンを形成し、ＩＣチップ８２を装着し、保護用の被覆を設けることにより形成される。その大きさも３０ｍｍ×３０ｍｍ程度以下のサイズとすることができる。
【００３８】
非接触ＩＣタグ８に使用する樹脂基材８１としては、ＰＥＴやポリプロピレン、ポリエチレン、ポリスチレン、ナイロン等の各種材料を使用することができ、紙であってもよい。厚みは１５〜３００μｍとすることができるが、強度、加工作業性、コスト等の点から２０〜１００μｍがより好ましい。金属箔としては銅箔やアルミ箔あるいは鉄箔を使用できるが、コスト、加工性からアルミ箔が好ましく、その厚みは６〜５０μｍ程度が好ましい。
【００３９】
これらの非接触ＩＣタグ８に記録した情報の読み取りや情報の書き込みは、ＩＣカードリーダライタ９から非接触ＩＣタグ８に対して共振する呼び出し信号を発信し、数ｃｍから数十ｃｍの距離で非接触ＩＣタグ８からの応答信号を読み取る。これにより、非接触ＩＣタグ８のＩＣチップ８２の記憶部であるメモリに記録された情報を読み取ったり、情報を書き込んだりすることができる。また、ＩＣチップ８２の記憶部であるメモリには、本人であることを認証するためのＩＤ情報（識別情報）が予め登録されている。
【００４０】
次に、図５の機能ブロック図を参照し、システム構成を詳細に説明する。図５には、非接触ＩＣカード３、入退室管理装置、ＩＣカードリーダライタ９及びパソコン５０を含むシステム構成が示されている。
【００４１】
なお、図５のブロック図における、入退室管理装置は、図１における入室管理装置６及び退室管理装置１０を一体型に構成した装置である。また、本実施形態において、各部屋の管理者は１名、オペレータは複数名であるものとする。
【００４２】
出入口５の近傍に設けられた入退室管理装置は、送受信部１１、権限判定部１２、ドア開閉部１３、記憶部１４、入室情報書込部１５及び制御部１６を有している。各部は、制御部１６により制御される。
【００４３】
送受信部１１は、非接触ＩＣカード３の送受信部８８と無線による情報の送受信を行う。
【００４４】
権限判定部１２は、入退室の際に非接触ＩＣカード３から受信した識別情報と、予め記憶部１４に記憶されている権限テーブルとに基づいて、当該非接触ＩＣカードを所持する者が入室権限を有しているか否かを判定する。また、権限判定部１２は、入退室の際に非接触ＩＣカード３から受信した識別情報と、予め記憶部１４に記憶されている権限テーブルとに基づいて、非接触ＩＣカードを所持する者が管理権限を有しているか否かを判定する。
【００４５】
ここで、図６を参照して、記憶部１４に記憶されている権限テーブルについて説明する。図６は、権限テーブルのデータ構造を模式的に示す図である。なお、本実施形態において非接触ＩＣカード３には、識別情報として社員ＩＤが含まれているものとする。
【００４６】
権限テーブルは、図示のように、社員ＩＤ、入室権限及び管理権限の項目から構成されている。社員ＩＤは、管理者やオペレータといった各利用者を識別する情報である。入室権限は、部屋４に入室することができる権限であり、権限テーブルでは、入室権限を持つ社員ＩＤに対応する入室権限項目に丸（○）が格納される。管理権限は、部屋４内のパソコン５０を管理することができる権限であり、権限テーブルでは、管理権限を持つ社員ＩＤに対応する管理権限項目に丸（○）が格納される。管理権限を有する管理者が部屋４内にいる間のみ、オペレータはパソコン５０を利用することができる。権限判定部１２は、非接触ＩＣカードから読み取った識別情報、即ち社員ＩＤに基づいて権限テーブルを参照することにより、当該非接触ＩＣカードを所持する者が入室権限及び／又は管理権限を有しているか否かを容易に判定することができる。
【００４７】
権限判定部１２による処理により、入退室の際、非接触ＩＣカード３を所持する者が入室権限を有していると判定された場合、ドア開閉部１３が自動ドア７を開く。また、権限判定部１２による処理により、入室の際、非接触ＩＣカードを所持する者が管理権限を有していると判定された場合、管理者が入室したことを示す入室情報を記憶部１４に記憶する。
【００４８】
入室情報書込部１５は、権限判定部１２による処理により、入室権限のみを有するオペレータが入室したことが判定された場合であって、且つ、記憶部１４に入室情報が記憶されている場合、当該オペレータが所持する非接触ＩＣカード３ｂに対して入室情報を送信し、非接触ＩＣカード３ｂの記憶部９０に入室情報の書込を行う。
【００４９】
なお、入室情報は、管理者が部屋４内に入室したことを示す情報であって、データ形式は任意に設定することができる。例えば、非接触ＩＣカード３の記憶部９０に入室フラグ記憶領域を設けておき、その入室フラグ記憶領域に対して入室時に入室情報としてフラグを書き込んでもよい。また、予め入室フラグ記憶領域にフラグが書き込まれている状態にしておき、入室時に書き込まれているフラグを消し込むことで、管理者が部屋４内に入室したことを判定できるようにしてもよい。上記のフラグを用いる場合には、入室フラグ記憶領域にフラグの書き込みや消し込みを行うことで、入室フラグ記憶領域に記憶された情報が変わる。こうして、入室情報の書き込みが実行される。
【００５０】
また、本実施形態では、記憶部１４に記憶される権限テーブルのデータ構造を図６に示すようにしているが、本発明はこれに限定されるものではなく、非接触ＩＣカード３から読み取った識別情報に基づいて入室権限及び管理権限の有無が判定できれば、データ構造は任意に設定することができるものとする。
【００５１】
パソコン５０は、表示部２１、入室判定部２２、パソコンロック制御部２３、記憶部２４、入力部２５、インタフェース（Ｉ／Ｆ）２６及び制御部２７を有している。各部は、制御部２７により制御される。
【００５２】
入室判定部２２は、ＩＣカードリーダライタ９から非接触ＩＣカード３に対して信号を送信する。こうして、非接触ＩＣカード３の記憶部９０に記憶されている情報を読み取り、当該情報に入室情報が含まれているか否かを判定する。なお、非接触ＩＣカード３に記憶されている入室情報がフラグの有無である場合には、入室判定部２２は、フラグの有無により管理者が部屋４内に入室しているか否かを判定する。
【００５３】
パソコンロック制御部２３は、非接触ＩＣカード３から読み取った情報に入室情報が含まれていると判定した場合に、パソコン５０のロックを解除し、使用可能な状態に制御する。また、非接触ＩＣカード３がＩＣカードリーダライタから外され、パソコン５０の利用が終了した場合に、パソコン５０をロックし、使用不可能な状態に制御する。
【００５４】
以上の構成を有する本実施形態においては、部屋４が施設に相当し、入退室管理装置が入退場管理装置として機能する。また、パソコン５０が管理対象装置として機能する。
【００５５】
次に、上述の管理システムによる入室処理について図７を参照して説明する。図７は、入室処理のフローチャートである。
【００５６】
まず、入室が管理された施設である部屋４に入室する際、利用者である管理者又はオペレータは、部屋４の入口から入室するために、情報記憶媒体である非接触ＩＣカード３を入退室管理装置に近づける。この際、入退室管理装置は、非接触ＩＣカード３の記憶部９０に記憶されている社員ＩＤを読み取る（ステップＳ１）。入退室管理装置の権限判定部１２は、読み取られた社員ＩＤと、入退室管理装置の記憶部１４に予め登録されている権限テーブルとに基づいて、非接触ＩＣカード３を所持する者が入室権限を有しているか否かを判定する（ステップＳ２）。入室権限を有していない場合（ステップＳ２；Ｎｏ）、自動ドア７を開くことなく処理は終了する。一方、入室権限を有している場合（ステップＳ２；Ｙｅｓ）、権限判定部１２は、さらに非接触ＩＣカード３を所持する者が管理権限を有しているか否かを判定する（ステップＳ３）。
【００５７】
管理権限を有している場合（ステップＳ３；Ｙｅｓ）、管理者が部屋４へ入室したことを示す入室情報を記憶部１４に記憶する（ステップＳ４）。そして、ドア開閉部１３は、自動ドア７を開き、入室権限を有する管理者が部屋４に入室可能な状態とする（ステップＳ５）。
【００５８】
一方、管理権限を有していない場合（ステップＳ３；Ｎｏ）、記憶部１４に入室情報が記憶されているか否かを判定する（ステップＳ６）。入室情報が記憶されていない場合（ステップＳ６；Ｎｏ）、ドア開閉部１３は、自動ドア７を開き、入室権限を有するオペレータが部屋４に入室可能な状態とする。一方、入室情報が記憶されている場合（ステップＳ６；Ｙｅｓ）、入室情報書込部１５は、非接触ＩＣカード３ｂに対して入室情報を送信し、非接触ＩＣカード３の記憶部９０に入室情報を書き込む（ステップＳ７）。そして、ドア開閉部１３は、自動ドア７を開き、入室権限を有するオペレータが部屋４に入室可能な状態とする（ステップＳ５）。これにより、入室処理は完了する。
【００５９】
入口から入室したオペレータは、パソコン５０に備えられているＩＣカードリーダライタ９に非接触ＩＣカード３ｂを近づけ、ＩＣカードリーダライタ９は非接触ＩＣカード３ｂの記憶部９０から情報を読み取る。入室判定部２２は、非接触ＩＣカード３ｂの記憶部９０から読み取った情報に入室情報が含まれているか否かを判定する。ここで、入室情報が含まれていると判定された場合、パソコンロック制御部２３は、パソコン５０のロックを解除し、パソコン５０を利用可能な状態とする。即ち、オペレータはパソコン５０を利用することができる。一方、入室情報が含まれていないと判定された場合、パソコン５０のロックは解除されることなく、オペレータはパソコン５０を利用することができない。
【００６０】
これにより、部屋４内に管理者が入室した場合、管理者が特別な対応をすることなく、自動的にパソコン５０の利用が可能となる。よって、管理者の負担を軽減させることができる。
【００６１】
なお、本実施形態では、非接触ＩＣカード３を利用することとしているが、本発明はこれに限定されるものではなく、情報記憶媒体を装着した携帯電話を利用することとしてもよい。つまり、本発明では、入退室のアクセス制御として利用可能であれば任意の可般記憶媒体を適用することができる。
【００６２】
また、本実施形態では、非接触ＩＣカード３は識別情報のみを有しており、入退室管理装置が、読み取った識別情報に基づいて権限テーブルを参照することで、入室権限及び管理権限の有無を判定することとしている。しかし、本発明はこれに限定されるものではなく、非接触ＩＣカード３が入室権限及び管理権限の有無を示す情報を有していることとしてもよい。具体的には、管理者が有する非接触ＩＣカード３ａには、入室権限及び管理権限があることを示す情報（フラグ等）が含まれており、オペレータが有する非接触ＩＣカード３ｂには、入室権限があることを示す情報が含まれていることになる。この場合、入退室管理装置は予め権限テーブルを登録する必要はなく、非接触ＩＣカードから読み取った情報に基づいて入室権限及び管理権限の有無を判定する。
【００６３】
また、本実施形態では、管理対象装置としてパソコンを例に説明しているが、本発明はこれに限定されるものではなく、例えばプリンタやロッカー等パソコン以外のあらゆる電子機器又は設備に適用することができる。
【００６４】
[第１変形例]
なお、上記の実施形態では記載していないが、予め各オペレータが所持する非接触ＩＣカード３ｂに利用範囲情報を記憶しておくこともできる。ここで、利用範囲情報について、図８を参照して説明する。図８は、利用範囲情報のデータ構造を示す図である。図示のように、利用範囲情報は、種別項目及び利用可能回数項目から構成されている。種別項目とは、管理対象装置の種別を示す情報であり、本変形例では、例えば、ロッカー、スキャナー、プリンタ等とする。利用可能回数項目とは、オペレータが利用可能な回数である。利用範囲情報は、図８（ａ）及び（ｂ）に示すように、オペレータ毎に任意に設定することができる。例えば、図８（ａ）に示す利用者範囲情報Ａが記憶された非接触ＩＣカード３ｂを所持するオペレータの場合、管理者が部屋４にいる場合であっても、プリンタを利用することはできない。一方、図８（ｂ）に示す利用者範囲情報Ｂが記憶された非接触ＩＣカード３ｂを所持するオペレータの場合、管理者が部屋４にいる場合に、プリンタを１０回まで利用することができる。
【００６５】
この場合、入退室管理装置は、上述の入室処理において、オペレータの非接触ＩＣカード３ｂに入室情報を書き込むかわりに、オペレータの非接触ＩＣカード３ｂに記憶された利用範囲情報を有効に設定する。つまり、オペレータの非接触ＩＣカード３ｂに記憶された利用範囲情報は、初期状態では無効に設定されており、管理者が部屋４内に入室している場合にのみ、入退室管理装置により有効に設定される。
【００６６】
また、管理対象装置は、オペレータが利用した種別及び回数に関する情報を自身の記憶部に記憶している。そして、管理対象装置は、種別に基づいて記憶部を参照し、オペレータが利用した回数が利用範囲情報の利用可能回数内であるか否かを判定する。利用した回数が利用可能回数より少ない、即ち利用可能回数内であると判定された場合、ロック制御部により、当該種別の管理対象装置のロックを解除することで、管理対象装置を利用可能な状態とする。即ち、オペレータは、当該管理対象装置を利用することができる。一方、利用した回数が利用可能回数より多い、即ち利用可能回数内ではないと判定された場合、管理対象装置のロックは解除されることなく、オペレータは、当該管理対象装置を利用することができない。
【００６７】
ここで、第１変形例の管理システムによる利用処理について図９を参照して説明する。図９は、利用処理のフローチャートである。
【００６８】
入口から入室したオペレータは、部屋４内に設置されたプリンタやスキャナーの中から選択した所定の管理対象装置に備えられているＩＣカードリーダライタ９に非接触ＩＣカード３ｂを近づける。管理対象装置に接続されたＩＣカードリーダライタ９は、非接触ＩＣカード３ｂの記憶部９０から情報を読み取る。管理対象装置は、非接触ＩＣカード３ｂの記憶部９０から読み取った情報に含まれる利用範囲情報の設定が有効であるか否かを判定する（ステップＳ１１）。設定が無効であると判定された場合（ステップＳ１１；Ｎｏ）、管理対象装置は、利用処理を終了する。
【００６９】
一方、設定が有効であると判定された場合（ステップＳ１１；Ｙｅｓ）、管理対象装置は、自身の種別が、非接触ＩＣカード３ｂから読み取った利用範囲情報を構成する種別項目の種別と合致するか否かを判定する（ステップＳ１２）。合致しない場合（ステップＳ１２；Ｎｏ）、管理対象装置は、利用処理を終了する。一方、合致する場合（ステップＳ１２；Ｙｅｓ）、管理対象装置は、記憶部を参照し、オペレータによる当該管理対象装置の利用回数が、利用範囲情報を構成する種別項目の利用可能回数内であるか否かを判定する（ステップＳ１３）。利用可能回数内ではない場合（ステップＳ１３；Ｎｏ）、管理対象装置は、利用処理を終了する。
【００７０】
利用可能回数内である場合（ステップＳ１３；Ｙｅｓ）、ロックを解除し、管理対象装置を利用可能な状態に制御する（ステップＳ１４）。また、管理対象装置は、記憶部における、オペレータが当該管理対象装置を利用した回数を更新する（ステップＳ１５）。これにより、利用処理は完了する。
【００７１】
なお、上述の第１変形例では、利用範囲情報を図８に示すようなデータ構造としているが、本発明はこれに限定されるものではなく、任意に設定することができる。例えば、利用範囲情報として有効時間や有効日時を設定し、オペレータが部屋４に入室してからの時間や日付に基づいて管理対象装置の利用を制限するように設定することも可能である。
【００７２】
これによれば、利用範囲情報に基づいて各オペレータに応じた範囲で管理対象装置の利用を制限することができる。そのため、管理者が部屋４を退室したにもかかわらず、オペレータが制限なく管理対象装置を利用できるといった問題も解消することができる。
【００７３】
[第２変形例]
なお、上記の実施形態では記載していないが、入退室管理装置と管理対象装置とをネットワークを介して通信可能に接続することもできる。
【００７４】
第２変形例において管理対象装置を管理する管理システムの概要を図１０に示す。なお、上述の実施形態と同様の部分については、便宜上、説明を省略する。
【００７５】
部屋４の内部に備えられた電子機器であるパソコン１５０は、室内に電子機器の管理権限を有する管理者１がいる間のみ、オペレータ２が利用することが可能となる。管理者１は、部屋４への入室権限及びパソコン１５０の管理権限を有しており、情報記憶媒体である非接触ＩＣカード３ａを所持している。一方、オペレータ２は、部屋４への入室権限を有しており、情報記憶媒体である非接触ＩＣカード３ｂを所持している。なお、非接触ＩＣカード３とは、非接触ＩＣカード３ａ及び３ｂの双方を含むものとする。
【００７６】
この部屋４の入口５ａの近傍には、入室管理装置６が備えられ、この入室管理装置６により入口５ａに備えられている自動ドア７の開閉状態がコントロールされている。入室管理装置６は、非接触ＩＣカード３との間で無線により情報の伝送が行えるように構成され、非接触ＩＣカード３に記憶されている情報の読み取りが可能である。さらに、この部屋４の出口５ｂの近傍には、退室管理装置１０が備えられ、この退室管理装置１０により自動ドア７の開閉状態がコントロールされている。また、退室管理装置１０は、非接触ＩＣカード３との間で無線により情報の伝送が行えるように構成され、非接触ＩＣカード３に記憶されている情報の読み取りが可能である。つまり、本実施形態では、入退室のアクセス制御として非接触ＩＣカード３を使用している。
【００７７】
入室管理装置６と退室管理装置１０は、ネットワーク６０を介してパソコン１５０と通信可能に接続されている。
【００７８】
なお、部屋４には、入口５ａと出口５ｂを別々に設ける場合と、入口５ａと出口５ｂを１つにして出入口とする場合とがあるが、図１には、１つの出入口を用いた場合が示されている。また、入室管理装置６と退室管理装置１０を一体型に構成した入退室管理装置とし、部屋の外部と内部を隔てる壁の一部に設けるようにしてもよい。ここで、入退室管理装置とは、例えば、非接触ＩＣカード３からの情報の読取及び非接触ＩＣカード３への情報の書込を行うことができるＩＣカードリーダライタ等である。
【００７９】
また、パソコン１５０はＩＣカードリーダライタ９が備えられている。ＩＣカードリーダライタ９は、入退室管理装置と同様に、非接触ＩＣカード３からの情報の読取及び非接触ＩＣカード３への情報の書込を行うことができる。
【００８０】
次に、図１１の機能ブロック図を参照し、システム構成を詳細に説明する。図１１には、非接触ＩＣカード３、入退室管理装置、ＩＣカードリーダライタ９及びパソコン１５０を含むシステム構成が示されている。
【００８１】
なお、図１１のブロック図における、入退室管理装置は、図１０における入室管理装置６及び退室管理装置１０を一体型に構成した装置である。また、本実施形態において、各部屋の管理者は１名、オペレータは複数名であるものとする。
【００８２】
出入口５の近傍に設けられた入退室管理装置は、送受信部１１、権限判定部１２、ドア開閉部１３、記憶部１４、入室情報書込部１５、制御部１６及び通信部１７を有している。各部は、制御部１６により制御される。
【００８３】
送受信部１１は、非接触ＩＣカード３の送受信部８８と無線による情報の送受信を行う。
【００８４】
権限判定部１２は、入退室の際に非接触ＩＣカード３から受信した識別情報と、予め記憶部１４に記憶されている権限テーブルとに基づいて、当該非接触ＩＣカードを所持する者が入室権限を有しているか否かを判定する。また、権限判定部１２は、入退室の際に非接触ＩＣカード３から受信した識別情報と、予め記憶部１４に記憶されている権限テーブルとに基づいて、非接触ＩＣカードを所持する者が管理権限を有しているか否かを判定する。さらに、権限判定部１２は、退室の際に非接触ＩＣカードを所持する者が管理権限を有していると判定した場合、通信部１７を介して、入退室管理装置からパソコン１５０へ退室情報を送信する。
【００８５】
権限判定部１２による処理により、入退室の際、非接触ＩＣカード３を所持する者が入室権限を有していると判定された場合、ドア開閉部１３が自動ドア７を開く。また、権限判定部１２による処理により、入室の際、非接触ＩＣカードを所持する者が管理権限を有していると判定された場合、管理者が入室したことを示す入室情報を記憶部１４に記憶する。
【００８６】
入室情報書込部１５は、権限判定部１２による処理により、入室権限のみを有するオペレータが入室したことが判定された場合であって、且つ、記憶部１４に入室情報が記憶されている場合、当該オペレータが所持する非接触ＩＣカード３ｂに対して入室情報を送信し、非接触ＩＣカード３の記憶部９０に入室情報の書込を行う。
【００８７】
パソコン１５０は、表示部２１、入室判定部２２、パソコンロック制御部２３、記憶部２４、入力部２５、インタフェース（Ｉ／Ｆ）２６、制御部２７、退室判定部２８及び通信部２９を有している。各部は、制御部２７により制御される。
【００８８】
入室判定部２２は、ＩＣカードリーダライタ９から非接触ＩＣカード３に対して信号を送信する。こうして、非接触ＩＣカード３の記憶部９０に記憶されている情報を読み取り、当該情報に入室情報が含まれているか否かを判定する。なお、非接触ＩＣカード３に記憶されている入室情報がフラグの有無である場合には、入室判定部２２は、フラグの有無により管理者が部屋４内に入室しているか否かを判定する。
【００８９】
退室判定部２８は、通信部２９を介して、入退室管理装置から退室情報を受信した場合に、管理者が部屋４から退室したと判定する。
【００９０】
パソコンロック制御部２３は、入室判定部２２が非接触ＩＣカード３から読み取った情報に入室情報が含まれていると判定した場合に、パソコン１５０のロックを解除し、使用可能な状態に制御する。また、非接触ＩＣカード３がＩＣカードリーダライタから外され、パソコン１５０の利用が終了した場合に、パソコン１５０をロックし、使用不可能な状態に制御する。
【００９１】
また、パソコンロック制御部２３は、退室判定部２８が入退室管理装置から退室情報を受信し、管理者が部屋４から退室したと判定した場合に、パソコン１５０をロックし、使用不可能な状態に制御する。
【００９２】
次に、上述の管理システムによる退室処理について図１２を参照して説明する。図１２は、退室処理のフローチャートである。
【００９３】
入退室が管理された施設である部屋４から退室する際、利用者である管理者又はオペレータは、部屋４の出口から退室するために、情報記憶媒体である非接触ＩＣカード３を入退室管理装置に近づける。この際、入退室管理装置は、非接触ＩＣカード３の記憶部９０に記憶されている社員ＩＤを読み取る（ステップＳ２１）。入退室管理装置の権限判定部１２は、読み取られた会員ＩＤと、入退室管理装置の記憶部１４に予め登録されている権限テーブルとに基づいて、非接触ＩＣカード３を所持する者が管理権限を有しているか否かを判定する（ステップＳ２２）。
【００９４】
管理権限を有している場合（ステップＳ２２；Ｙｅｓ）、通信部１７を介して、管理者が部屋４から退室したことを示す退室情報をパソコン１５０へ送信する（ステップＳ２３）。通信部２９により入退室管理装置から退室情報を受信すると、管理対象装置は、退室判定部２８により管理者が部屋４から退室したと判定する。よって、パソコンロック制御部２３は、パソコン１５０をロックし、使用不可能な状態に制御する。入退室管理装置は、退室情報をパソコン１５０へ送信すると、ドア開閉部１３により自動ドア７を開き、管理者が部屋４から退室可能な状態とする（ステップＳ２４）。
【００９５】
一方、管理権限を有していない場合（ステップＳ２３；Ｎｏ）、入退室管理装置は、パソコン１５０に退室情報を送信することなく、ドア開閉部１３により自動ドアを開き、オペレータが部屋４から退室可能な状態とする（ステップＳ２４）。これにより、退室処理は完了する。
【００９６】
これによれば、管理者が部屋４を退室した際に、オペレータによるパソコン１５０の使用を停止させることができる。よって、管理者が部屋４を退室したにも関わらず、オペレータがパソコン１５０を使用し続けることができるといった問題を解消することができる。また、部屋４から管理者が退室した場合、管理者が特別な対応をすることなく、自動的にパソコン１５０の利用が不可能となる。よって、管理者の負担を軽減させることができる。
【００９７】
なお、第２変形例では、パソコン１５０が入退室管理装置から直接退室情報を受信し、管理者が部屋４から退室したか否かを判定した上で、パソコン１５０のロックを制御している。しかし、本発明はこれに限定されるものではなく、ネットワーク６０を介して、サーバと接続されており、当該サーバがパソコン１５０のロックを制御することとしてもよい。この場合、管理システムでは、入退室管理装置と、パソコン１５０と、サーバとがネットワーク６０を介して通信可能に接続されている。入退室管理装置は、ネットワーク６０を介して、サーバ５に退室情報を送信し、サーバ５は、当該退室情報に基づいて管理者が部屋４から退室したか否かを判定した上で、パソコン１５０のロックを制御する。具体的には、管理者が部屋４から退室したと判定した場合に、ネットワーク６０を介してパソコン１５０に所定の信号を送信することで、パソコン１５０を利用不可能な状態とする。
【００９８】
このように、サーバを管理システムの構成要素とすることで、自身では管理者４が退室したか否かの判定やロック制御を行うことができない種々の電子機器及び設備を適用することが可能となる。
【００９９】
また、上述の実施形態、第１変形例及び第２変形例では記載していないが、入退室管理装置が、第２変形例に記載したように、管理者が退室したこと判定した場合に記憶部１４から入場情報を削除する場合、その後に退室するオペレータが所持するＩＣカード３ｂから入室情報を削除することとしてもよい。具体的に、入退室管理装置は、入室権限のみを有するオペレータが退室する際、記憶部１４に入室情報が記憶されているか否かを判定する。そして、記憶部１４に入室情報が記憶されていない場合であって、且つ、当該オペレータが所持するＩＣカード３ｂに入室情報が記憶されている場合、入退室管理装置は、ＩＣカード３ｂに記憶されている入室情報を削除する。これにより、オペレータが再度部屋４に入室した場合であっても、管理者が不在であれば、管理対象装置を利用することができなくなる。
【０１００】
また、第２変形例のように、入退室管理装置と管理対象装置がネットワーク６０を介して通信可能に接続されている場合、退室情報を受信した管理対象装置がＩＣカードリーダライタ９により、ＩＣカード３ｂからの入室情報の削除や利用範囲情報を無効とする設定を行うこととしてもよい。
【産業上の利用可能性】
【０１０１】
本発明によれば、情報記憶媒体を使用して、管理者の手を煩わせることなく、簡易に、管理者が室内にいる間だけ自動的に電子機器や設備の利用が可能となる管理システムとして利用することができる。
【図面の簡単な説明】
【０１０２】
【図１】管理システムの概要を説明する図である。
【図２】非接触ＩＣカードの平面図である。
【図３】図２のＡ−Ａ線による断面図である。
【図４】非接触ＩＣカードに内蔵されているＩＣタグの平面図である。
【図５】管理システムの機能ブロック図である。
【図６】権限テーブルのデータ構造を模式的に示す図である。
【図７】管理システムによる入室処理を示すフローチャートである。
【図８】利用範囲情報のデータ構造を模式的に示す図である。
【図９】第１変形例における管理システムによる利用処理を示すフローチャートである。
【図１０】第２変形例における管理システムの概要を説明する図である。
【図１１】第２変形例における管理システムの機能ブロック図である。
【図１２】第２変形例における管理システムによる退室処理を示すフローチャートである。
【符号の説明】
【０１０３】
１…管理者
２…オペレータ
３…非接触ＩＣタグ
４…部屋
６…入室管理装置
１０…退室管理装置
５０…パソコン
６０…ネットワーク
【図１】
2008046725.tif 000003
【図２】
2008046725.tif 000004
【図３】
2008046725.tif 000005
【図４】
2008046725.tif 000006
【図５】
2008046725.tif 000007
【図６】
2008046725.tif 000008
【図７】
2008046725.tif 000009
【図８】
2008046725.tif 000010
【図９】
2008046725.tif 000011
【図１０】
2008046725.tif 000012
【図１１】
2008046725.tif 000013
【図１２】
2008046725.tif 000014